(57)【特許請求の範囲】
【請求項１】
被工作物を載せるための略長方形の上板と、その上板を支持するため床上に設置される下板との、それぞれの一方の面に４個の縁に沿って配置された長短各２個の角材と、それら角材の互いに対向して配置された２個の外方に、角材の外面と平行に配置した補助材とを取り付け、前記上板と下板とに連結される支柱部材を短冊状の板材とし、その板材の両端部を前記角材と補助材との間に挟着するとともに、前記上板と下板との間に離隔手段を介在させてなる高さ設定式木製工作台。
【請求項２】
請求項１において、離隔手段は上板を支柱によって支持されるより高い位置まで押上げ可能に設定されている高さ設定式木製工作台。
【発明の詳細な説明】
【技術分野】
【０００１】
本発明は、家具などのような大きい木工工作物を、立ち姿で作業を行うのに好適な木製の工作台に関するもので、不使用時には畳んで収納可能にするとともに、その高さ設定作業を可及的容易にするための手段を備えた木製工作台に関する。
【背景技術】
【０００２】
一般に、工作台は作業効率を上げるため、上板の上に物品を載せ、立ち姿で作業を行う用途に多用され、作業を行うための板を木製にして工作物や、刃物・工具などを損傷しないようにし、四隅に前記上板を連結する木製の支柱によって構成されている。
【０００３】
工作台は木工作業に使用される場合、鋸引きやカンナ掛けのような人間の作業力がそのまま伝わるため、高い剛性が要求される。そのため工作台を構成する上板の重量が大きくなり、また作業のしやすさから上板の高さを変えようとするときには、上板を支えながら支柱を組み付けたり取り外したりする作業に大きな労力を要する不具合があった。
【０００４】
従来、人や物を載せる上板を平行四辺形のリンク、いわゆるパンタグラフによって昇降させ、不使用時には外形を小さくする技術が知られている（特許文献１参照）。また、上板を昇降させる技術としてねじ式のジャッキが使用されることも公知に属する（特許文献２、特許文献３参照）。
【０００５】
しかしながら、従来の作業台はパンタグラフを用いて上板を昇降させるのみで、上昇位置で固定するようになっていないので、特に、木工作業中には鋸やヤスリ、あるいはカンナなど、作業者の力が作用したとき、それらの道具が動く方向に工作台がガタついたり移動したりして、加工品を傷つけたり、寸法精度が低下したりする不具合があった。
【特許文献１】実開平０６−４２０８５号公報
【特許文献２】特開平１１−２３９９８６号公報
【特許文献３】特開２００１−１０５０２号公報
【発明の開示】
【発明が解決しようとする課題】
【０００６】
解決しようとする問題点は、工作台の高さ設定の作業を行う際に、作業者が重量の大きい上板を支えながら支柱を固定する作業を一人で行うことが難しい点であり、さらには、支柱によって支えられる上板のガタ付きを実用上完全に止めることが難しい点にある。
【課題を解決するための手段】
【０００７】
本発明は、被工作物を載せるための略長方形の上板と、その上板を支持するため床上に設置される下板との、それぞれの一方の面に４個の縁に沿って配置された長短各２個の角材と、それら角材の互いに対向して配置された２個の外方に、角材の外面と平行に配置した補助材とを取り付け、前記上板と下板とに連結される支柱部材を短冊状の板材とし、その板材の両端部を前記角材と補助材との間に挟着するとともに、前記上板と下板との間に離隔手段を介在させることを最も主要な特徴とする。
【発明の効果】
【０００８】
本願発明に係る高さ設定式木製工作台は、上板と下板との間に離隔手段を介在させたから、上板と下板とを支柱によって結合する際に、上板を持ち上げる力が、離隔手段によって助力されるから、作業者によって上板を支えた状態で支柱を組み付ける高さ設定作業の負担が軽減する。
【０００９】
また、高さ設定が終了した後にも、支柱部材をボルト締めするのに加えて、離隔手段は上板と下板との間で両者を引き離そうとする力が残存するので、無用にガタついたり移動したりする不具合がない。
【実施例１】
【００１０】
以下、本願発明の一実施例を図面によって説明する。図１から図５において、１０は高さ設定式木製工作台である。高さ設定式木製工作台１０は被工作物（図示してない）を載せるための略長方形の上板１２と、その上板１２を支持するため支台１１を介して床上に設置される下板１４、および上板１２と下板１４とを互に引き離すことのできる離隔手段２０をなすパンタグラフ２１、２１を有する。普通サイズの上板１２は長さ２０００ミリ、幅８５０ミリ、厚さ１８ミリである。
【００１１】
前記上板１２と下板１４とは、共に、それぞれの一方の面に４個の縁に沿って配置された長い角材１５ａと短い角材１５ｂの各２個によって構成される四角形の補強枠１５と、その補強枠１５をなす短い角材１５ｂの外側に位置して、その短い角材１５ｂの外面と平行に配された補助材１６とが接着されている。
【００１２】
そして、上板１２と下板１４とはパンタグラフ２１によって離隔方向へ（垂直方向へ）一旦余分に引き離されるとともに、支柱部材１８を時間的余裕をもってはめ込み、ゆっくり降ろして固定して高さ設定作業をすることが可能である。
【００１３】
ばね部材１７はコイルばね１７ａと、伸縮可能なカバー１７ｂとによって構成されており、図２では、上板１２と下板１４に当接するものを記載したが、一般には、全リフトの３分の１程度のものが使われ、上板１２がリフトし始めるときの重さを軽減する役目に用い、このときはコイルばね１７を圧縮して中に収納するように使う。パンタグラフ２１は下板１４を補強する左右の長い角材１５ａへ回動可能に枢着された一対の外傾斜リンク２１ａと、上板１２を補強する長い角材１５ａへ回動可能に枢着された一対の内傾斜リンク２１ｂとを共通の枢軸２１ｃによって連結して構成した平行四辺形リンクであって、後述する油圧シリンダ、電動モーター、手回しジャッキなどの倍力装置および手さげの４種法の離隔手段２０がある。
【００１４】
前記支柱部材１８は前記短い角材１５ｂの端部と補助材１６、１６との間に差し込まれ、ボルト１９によって締着される短冊状の４枚の板材からなっている。１８ａはボルト１９を挿通するべく穿設された長孔である。一般に、支柱部材１８は高・中・低の３種を用意して中の空きスペースに収納される。
【００１５】
かくて、上板１２と下板１４とは、離隔手段２０たるパンタグラフ２１によって、平行関係を保ったまま上下方向に昇降させ、支柱部材１８によって所定位置に固定可能に構成されている。
【００１６】
次に、高さ設定式木製工作台１０の高さ設定方法を図６によって説明する。同図（ａ）は、工作台１０の格納状態を示す。この状態では上板１２と下板１４とが、補強枠１５、１５の部分で当接しており、内側の空間の中にパンタグラフ２１が折り畳まれた状態で、また、支柱部材１８は取り外され、横にして内部に収められている。ばね部材１７を用いることは必須ではないので、求めに応じて木製箱筒にして、成るべくは機械金属を見せないデザインが好まれている。
【００１７】
工作台１０の高さ設定に際し、油圧シリンダは足踏み式レバー、電動モーターはボタンスイッチ、手回しジャッキはハンドルを回すことで昇降させ、高さ設定位置よりも高い位置まで持ち上げられる。
【００１８】
次に、同図（ｃ）で示すように、支柱部材１８の下端部を下板１４の前記短い角材１５ｂと補助材１６との間に差し込み、ボルト１９によってそれらの間に締着する。上板１２はパンタグラフ２１によって支えられているので、作業者は上板１２を支える必要がなく、支柱部材１８を下板１４に固定する締着作業の間、両手が使用できるので効率よく作業を行うことができる。
【００１９】
次いで同図（ｄ）で示すように、上板１２を所定の位置まで下げて、支柱部材１８の上端部を上板１２の短い角材１５ｂと補助材１６との間に差し込み、同様に、ボルト１９によってそれらの間に締着する。かくて、上板１２と下板１４とは４本の支柱部材１８、１８によって不動に固定され、かつ、パンタグラフ２１とばね部材１７の弾力によって上板１２が一層強固に支持されガタつきが防止される。
【００２０】
なお、上記実施例における離隔手段２０を、前述の倍力装置を用いたもの、特に油圧シリンダを備え、足踏みレバー式のものでは、被工作物を１５０Ｋｇ程度まで上板１２の上に乗せたまま昇降させられる。また、一人操作・一人作業で作業の容易化をはかることができる。
【００２１】
図７で示すように、パンタグラフ２１を構成する外傾斜リンク２１ａと、内傾斜リンク２１ｂとの間に、電動機によって伸縮する電動ジャッキ２４ａのねじ軸２４ｂの両端をボルト２５、２５によって回動可能に取り付け、その伸縮によって両リンク２１ａ、２１ｂの傾斜角を変化させて上板１２を昇降させる構造はボタン操作で作業が可能で無線遠隔操作も考慮している。
【００２２】
また、図８で示す他の実施例は、前記電動ジャッキに代えて、手動ジャッキ２４ｃにしたもので、両リンク２１ａ、２１ｂ、あるいは共通の枢軸２１ｃへ回動可能に取り付けたナット２６を、ねじ軸２４ｂおよび操作ハンドル２４ｄによって押し引き操作することにより、両リンク２１ａ、２１ｂの傾斜角を変化させて上板１２を昇降させる。いわゆる手加減ができる特徴があり、各部材に無理な力をかけ過ぎて破壊するようなことは避けられる。
【００２３】
これらパンタグラフ２１をジャッキによって操作する構成の離隔手段２０によれば、電動、あるいは手動操作によってパンタグラフ２１の連結された上板１２を昇降させることができ、かつ、必要な位置で停止させることができるから、上板１２を離隔方向へ付勢する操作を軽快に行うことができる。
【００２４】
また、上板１２は支柱部材１８と、パンタグラフ２１とによって強固に支承されるので、上板１２の上面に面方向の力が作用してもガタつくことがない。なお、これらジャッキを用いる構成においても、前記ばね部材１７を併用することにより、上板１２のガタ付を抑制する作用が助長される。
【図面の簡単な説明】
【００２５】
【図１】本願発明の実施方法を示す工作台の一部を破断して示す平面図である。
【図２】図１中のＩＩ−ＩＩ断面図である。
【図３】図１の側面図である。
【図４】工作台の高さ設定前の状態を示す正面図である。
【図５】図４の側面図である。
【図６】工作台の高さ設定工程を示す工程図である。
【図７】変形例を示す図２相当の断面図である。
【図８】他の変形例を示す図２相当の断面図である。
【符号の説明】
【００２６】
１０    高さ設定式木製工作台
１１    支台
１２    上板
１４    下板
１５    補強枠
１５ａ    長い角材
１５ｂ    短い角材
１５ｃ    補強枠
１６    補助材
１７    ばね部材
１８    支柱部材
１８ａ    長孔
１９    ボルト
２０    離隔手段（ばね部材、パンタグラフ）
２１    パンタグラフ
２１ａ    外傾斜リンク
２１ｂ    内傾斜リンク
２１ｃ    共通の枢軸
２１ｄ    コロ
２４    ねじ機構
２４ａ    電動ジャッキ
２４ｂ    ねじ軸
２４ｃ    手動ジャッキ
２４ｄ    手動ハンドル
２５    ボルト
２６    ナット
【図１】
0004431837.tif 000002
【図２】
0004431837.tif 000003
【図３】
0004431837.tif 000004
【図４】
0004431837.tif 000005
【図５】
0004431837.tif 000006
【図６】
0004431837.tif 000007
【図７】
0004431837.tif 000008
【図８】
0004431837.tif 000009